【手続補正書】
【提出日】平成29年6月5日(2017.6.5)
【手続補正１】
【補正対象書類名】特許請求の範囲
【補正対象項目名】全文
【補正方法】変更
【補正の内容】
【特許請求の範囲】
【請求項１】
試料の吸引と吐出を行なうための可動性のニードルを先端に有するとともに、前記ニードル先端から吸入された液を保持するサンプルループを有するサンプリング流路と、
移動相を送液する送液装置が接続された送液ポート、前記サンプリング流路の基端が接続されたサンプリングポート、前記ニードルの先端を挿入させることにより前記サンプリング流路と接続されるインジェクションポート、分析カラムの設けられた分析流路が接続される分析ポート、ドレインへ通じるドレインポート、及び前記各ポート間を連通させるための溝を有するロータを有し、前記ロータを回転させてポジションを切り替えることにより前記各ポート間の接続状態を切り替える切替バルブであって、前記ロータが、前記送液ポートと前記サンプリングポートとの間を連通させるとともに前記インジェクションポートと前記分析ポートとの間を連通させるインジェクティングポジション、前記送液ポートと前記サンプリングポートとの間を連通させるとともに前記インジェクションポートと前記ドレインポートとの間を連通させるパージングポジション、及び前記送液ポートと前記分析ポートとの間を連通させるローディングポジションを有する切替バルブと、を備えたオートサンプラ。
【請求項２】
液の吸入と吐出を行なうシリンジポンプをさらに備え、
前記切替バルブは、前記シリンジポンプに通じるシリンジポートを有し、前記ロータが前記ローディングポジションにあるときに、前記サンプリングポートと前記シリンジポートとの間を連通させるように構成されている請求項１に記載のオートサンプラ。
【請求項３】
前記切替バルブにおいて前記各ポートが同一円周上に配置され、前記送液ポートと前記シリンジポートが前記サンプリングポートと隣接し、前記送液ポートの前記サンプリングポートとは反対側に前記分析ポートが隣接し、前記分析ポートの前記送液ポートとは反対側に前記インジェクションポートが隣接し、前記インジェクションポートの前記分析ポートとは反対側に前記ドレインポートが隣接し、前記ドレインポートの前記インジェクションポートとは反対側に前記シリンジポートが隣接しており、
前記ロータは、該ロータが前記インジェクティングポジションにあるときに前記シリンジポンプと前記ドレインポートの間を連通させる第１溝、前記送液ポートと前記サンプリングポートの間を連通させる第２溝、及び前記分析ポートと前記インジェクションポートの間を連通させる第３溝を備え、
前記インジェクティングポジションから前記第３溝を前記ドレインポート側へ移動させるように前記ロータを回転させ、前記インジェクションポートと前記ドレインポートとの間が前記第３溝によって連通したときの前記ロータのポジションが前記パージングポジションであり、
前記第２溝は、前記ロータが前記インジェクティングポジションから前記パージングポジションまで回転する間、前記送液ポートと前記サンプリングポートの間を連通させた状態を維持するように、前記円周における前記送液ポートと前記サンプリングポートとの間の円弧よりも長い円弧状の溝として設けられている請求項２に記載のオートサンプラ。
【請求項４】
前記切替バルブの前記各ポートは、互いに隣接するポートの間に前記円周の６０°分の円弧に相当する間隔をもつように前記円周上において均等に配置されており、
前記第１溝は前記円周の６０°分の円弧状の溝であり、
前記第２溝は前記第１溝の一端から前記円周の３０°分の円弧に相当する間隔を空けて設けられた前記円周の９０°分の円弧状の溝であり、
前記第３溝は前記第１溝の他端から前記円周の３０°分の円弧に相当する間隔を空けて設けられた前記円周の９０°分の円弧状の溝である請求項３に記載のオートサンプラ。
【請求項５】
試料を成分ごとに分離する分析カラム及び前記分析カラムで分離された試料成分を検出するための検出器を有する分析流路と、
前記分析流路に移動相を供給する送液装置と、
前記送液装置と前記分析流路との間に介在して前記分析流路に試料を導入するオートサンプラと、を備え、
前記オートサンプラが、請求項１から４のいずれか一項に記載のオートサンプラである液体クロマトグラフ。
【請求項６】
前記送液装置及び前記オートサンプラを制御することにより一連の分析動作を実行する分析動作管理部をさらに備え、
前記分析動作管理部は、
（１）前記切替バルブのロータをローディングポジションにした状態でニードルを試料容器内へ挿入し、分析対象の試料を前記シリンジポンプにより吸入して前記サンプルループに滞留させるサンプリング動作、
（２）前記サンプリング動作の後で、前記ニードル先端を前記インジェクションポートに挿入し、前記切替バルブの前記ロータを前記インジェクティングポジションにして前記サンプルループに滞留した試料を前記分析流路に導入するインジェクティング動作、
（３）前記インジェクティング動作が終了した後、前記ニードル先端を前記インジェクションポートに挿入した状態で前記切替バルブの前記ロータを前記パージングポジションにし、前記送液装置からグラジエント分析における初期状態の組成をもつ移動相を送液して前記サンプリング流路内の移動相を置換する第１パージ動作、及び
（４）前記第１パージ動作が終了した後、前記切替バルブの前記ロータを前記ローディングポジションにし、前記送液装置からグラジエント分析における初期状態の組成をもつ移動相を送液して前記分析流路内の移動相を置換する第２パージ動作、
をその順に行なうように構成されているとともに、次の分析対象試料が存在するときは、前記（４）の第２パージ動作中に次の分析対象試料に対する前記（１）のサンプリング動作を実行するように構成されている請求項５に記載の液体クロマトグラフ。
【請求項７】
前記分析動作管理部は、前記第１パージ動作中における前記送液装置の送液流量を前記第２パージ動作中における前記送液装置の送液流量よりも大きくするように構成されている請求項６に記載の液体クロマトグラフ。
【手続補正２】
【補正対象書類名】明細書
【補正対象項目名】００１４
【補正方法】変更
【補正の内容】
【００１４】
オートサンプラの実施形態における切替バルブとして、各ポートが同一円周上に配置された６方バルブを用いることができる。その場合、送液ポートとシリンジポートがサンプリングポートと隣接し、送液ポートのサンプリングポートとは反対側に分析ポートが隣接し、分析ポートの送液ポートとは反対側にインジェクションポートが隣接し、インジェクションポートの分析ポートとは反対側にドレインポートが隣接し、ドレインポートのインジェクションポートとは反対側にシリンジポートが隣接するように配置されている。ロータは、該ロータがインジェクティングポジションにあるときにシリンジポンプとドレインポートの間を連通させる第１溝、送液ポートとサンプリングポートの間を連通させる第２溝、及び分析ポートとインジェクションポートの間を連通させる第３溝を備えている。インジェクティングポジションから第３溝をドレインポート側へ移動させるようにロータを回転させ、インジェクションポートとドレインポートとの間が第３溝によって連通したときのロータのポジションがパージングポジションである。第２溝は、ロータがインジェクティングポジションからパージングポジションまで回転する間、送液ポートとサンプリングポートの間を連通させた状態を維持するように、円周における送液ポートとサンプリングポートとの間の円弧よりも長い円弧状の溝として設けられている。